(57)【要約】【課題】用途の異なる複数の利用ユニットを単一熱源に接続し運転するヒートポンプシステムにおいて、各ユニットに冷媒を最適に供給することができるヒートポンプシステムを提供する【解決手段】ヒートポンプシステム１は、容量可変型の圧縮機２１と、冷媒の蒸発器として機能する熱源側熱交換器２４とを有する熱源ユニット２と、熱源ユニット２に接続されており、冷媒の放熱器として機能する利用側熱交換器４１ａ、４１ｂを有する複数の利用ユニット４ａ、４ｂとを備えている。圧縮機２１の吐出圧又はそれに等価な状態量が第１目標値Ａとなるように、圧縮機２１の運転容量を制御する。第１目標値Ａは、各々の利用ユニットにおいて要求される利用温度に等価な等価目標値Ｂに基づいて決定される。【選択図】図１
2010196947.tif 000002
【特許請求の範囲】
【請求項１】
容量可変型の圧縮機（２１）と、冷媒の蒸発器として機能する熱源側熱交換器（２４）とを有する熱源ユニット（２）と、
前記熱源ユニット（２）に接続されており、冷媒の放熱器として機能する利用側熱交換器（４１ａ、４１ｂ、１０１ａ、１０１ｂ）を有する複数の利用ユニット（４ａ、４ｂ、１０ａ、１０ｂ）と
を備えており、
前記圧縮機（２１）の吐出圧又はそれに等価な状態量が第１目標値（Ａ）となるように、前記圧縮機（２１）の運転容量を制御し、
前記第１目標値（Ａ）は、各々の前記利用ユニット（４ａ、４ｂ、１０ａ、１０ｂ）において要求される利用温度に等価な等価目標値（Ｂ、Ｃ）に基づいて決定される、
ヒートポンプシステム（１、２０１）。
【請求項２】
複数の前記利用ユニット（４ａ、４ｂ）は、各利用側熱交換器（４１ａ、４１ｂ）における冷媒の放熱によって水系媒体を加熱することが可能な第１利用ユニット（４ａ、４ｂ）を複数含んでおり、
前記等価目標値は、各第１利用ユニット（４ａ、４ｂ）において要求される利用温度に等価な水系媒体の温度に基づく第１等価目標値（Ｂ）であり、
前記第１目標値（Ａ）は、各第１利用ユニット（４ａ、４ｂ）の前記等価目標値（Ｂ）の中で最も大きい値に基づいて決定される、
請求項１に記載のヒートポンプシステム（１）。
【請求項３】
前記第１目標値（Ａ）が前記第１等価目標値（Ｂ）よりも大きくなる前記第１利用ユニット（４ａ、４ｂ）は、前記第１目標値（Ａ）と前記第１等価目標値（Ｂ）との差分に基づく補正値を用いて、冷媒流量制御手段（４２ａ、４２ｂ）の制御を行う、
請求項２に記載のヒートポンプシステム（１）。
【請求項４】
冷媒流量制御手段（４２ａ、４２ｂ）の制御は、過冷却度設定値を変更することによって行う、
請求項３に記載のヒートポンプシステム（１）。
【請求項５】
複数の前記利用ユニット（４ａ、１０ａ、１０ｂ）は、
利用側熱交換器（４１ａ）における冷媒の放熱によって水系媒体を加熱することが可能な第１利用ユニット（４ａ）と、
利用側熱交換器（１０１ａ、１０１ｂ）における冷媒の放熱によって空気系媒体を加熱することが可能な第２利用ユニット（１０ａ、１０ｂ）とを含んでおり、
前記等価目標値は、
前記第１利用ユニット（４ａ）において要求される利用温度に等価な水系媒体の温度に関連する第１等価目標値（Ｂ）と、
前記第２利用ユニット（１０ａ、１０ｂ）において要求される利用温度に等価な空気系媒体の温度に関連する第２等価目標値（Ｃ）と
を含んでおり、
前記第１目標値（Ａ）は、各利用ユニット（４ａ、４ｂ、１０ａ、１０ｂ）の前記第１等価目標値（Ｂ）および前記第２等価目標値（Ｃ）の中で最も大きい値に基づいて決定される、
請求項１に記載のヒートポンプシステム（２０１）。
【請求項６】
前記第１目標値（Ａ）が前記第２等価目標値（Ｃ）よりも大きくなる場合には、前記第２利用ユニット（１０ａ、１０ｂ）のファン風量が小さくなるように制御する、
請求項５に記載のヒートポンプシステム（２０１）。
【発明の詳細な説明】
【技術分野】
【０００１】
本発明は、複数の利用ユニットを単一熱源に接続して運転するヒートポンプシステムに関する。
【背景技術】
【０００２】
従来より、特許文献１（特開平２０００−４６４１７号公報）に記載されているような複数の利用側ユニットを備えたヒートポンプ式の温水暖房装置が種々提案されている。このような用途の異なる複数の利用ユニットを単一熱源に接続し運転するヒートポンプシステムとして、例えば、利用ユニットとして床暖房等の温水循環式暖房や給湯を行う為の温水加熱ユニットおよび空調ユニットが熱源機に接続され、その温水加熱ユニットおよび空調ユニットが要求に応じ複数台並列にマルチ接続可能なシステムがある。この場合、床暖房等の温水循環式暖房や給湯を行う為の温水加熱機器においては、供給する出口側水温を保証し、その温度となるように、通常、機器の制御を行う。
【発明の概要】
【発明が解決しようとする課題】
【０００３】
しかし、利用ユニット側の各温水加熱機器の温水の用途が異なる場合、要求される温水の出口温度が異なるので、この様な用途の異なる複数の温水加熱機器を単一熱源に接続し運転するヒートポンプシステムにおいては、どの様に各利用ユニットに冷媒を供給するのかが技術的課題である。
【０００４】
本発明の課題は、用途の異なる複数の利用ユニットを単一熱源に接続し運転するヒートポンプシステムにおいて、各ユニットに冷媒を最適に供給することができるヒートポンプシステムを提供することにある。
【課題を解決するための手段】
【０００５】
第１発明のヒートポンプシステムは、容量可変型の圧縮機と、冷媒の蒸発器として機能する熱源側熱交換器とを有する熱源ユニットと、熱源ユニットに接続されており、冷媒の放熱器として機能する利用側熱交換器を有する複数の利用ユニットとを備えている。ヒートポンプシステムは、圧縮機の吐出圧又はそれに等価な状態量が第１目標値となるように、圧縮機の運転容量を制御する。第１目標値は、各々の利用ユニットにおいて要求される利用温度に等価な等価目標値に基づいて決定される。
【０００６】
ここでは、圧縮機の吐出圧又はそれに等価な状態量が第１目標値となるように、圧縮機の運転容量を制御し、かつ、第１目標値が各々の利用ユニットにおいて要求される利用温度に等価な等価目標値に基づいて決定されるので、用途の異なる複数の利用ユニットを単一熱源に接続し運転するヒートポンプシステムにおいて、各利用ユニットに冷媒を最適に供給することができる。
【０００７】
第２発明のヒートポンプシステムは、第１発明のヒートポンプシステムであって、複数の利用ユニットは、各利用側熱交換器における冷媒の放熱によって水系媒体を加熱することが可能な第１利用ユニットを複数含んでいる。等価目標値は、各第１利用ユニットにおいて要求される利用温度に等価な水系媒体の温度に基づく第１等価目標値である。第１目標値は、各第１利用ユニットの等価目標値の中で最も大きい値に基づいて決定される。
【０００８】
ここでは、等価目標値が、複数の第１利用ユニットそれぞれにおいて要求される利用温度に等価な水系媒体の温度に基づく第１等価目標値であり、第１目標値が、各第１利用ユニットの等価目標値の中で最も大きい値に基づいて決定されるので、すべての第１利用ユニットに最適な冷媒制御を行うことが可能である。
【０００９】
第３発明のヒートポンプシステムは、第２発明のヒートポンプシステムであって、第１目標値が第１等価目標値よりも大きくなる第１利用ユニットは、第１目標値と第１等価目標値との差分に基づく補正値を用いて、冷媒流量制御手段の制御を行う。
【００１０】
ここでは、第１目標値が第１等価目標値よりも大きくなる第１利用ユニットは、第１目標値と第１等価目標値との差分に基づく補正値を用いて、冷媒流量制御手段の制御を行うので、すべての第１利用ユニットに最適な冷媒制御を行うことが可能である。
【００１１】
第４発明のヒートポンプシステムは、第３発明のヒートポンプシステムであって、冷媒流量制御手段の制御は、過冷却度設定値を変更することによって行う。
【００１２】
ここでは、冷媒流量制御手段の制御が過冷却度設定値を変更することによって行うので、第１利用ユニットの利用側熱交換器における過冷却度を一定になるように、すべての第１利用ユニットに最適な冷媒制御を行うことが可能である。
【００１３】
第５発明のヒートポンプシステムは、第１発明のヒートポンプシステムであって、複数の利用ユニットは、利用側熱交換器における冷媒の放熱によって水系媒体を加熱することが可能な第１利用ユニットと、利用側熱交換器における冷媒の放熱によって空気系媒体を加熱することが可能な第２利用ユニットとを含んでいる。等価目標値は、第１利用ユニットにおいて要求される利用温度に等価な水系媒体の温度に関連する第１等価目標値と、第２利用ユニットにおいて要求される利用温度に等価な空気系媒体の温度に関連する第２等価目標値とを含んでいる。第１目標値は、各利用ユニットの第１等価目標値および第２等価目標値の中で最も大きい値に基づいて決定される。
【００１４】
ここでは、等価目標値が、第１利用ユニットにおいて要求される利用温度に等価な水系媒体の温度に関連する第１等価目標値と、第２利用ユニットにおいて要求される利用温度に等価な空気系媒体の温度に関連する第２等価目標値とを含んでおり、しかも、第１目標値が、各利用ユニットの第１等価目標値および第２等価目標値の中で最も大きい値に基づいて決定される。これにより、すべての第１利用ユニットおよび第２利用ユニットに最適な冷媒制御を行うことが可能である。
【００１５】
第６発明のヒートポンプシステムは、第５発明のヒートポンプシステムであって、第１目標値が第２等価目標値よりも大きくなる場合には、第２利用ユニットのファン風量が小さくなるように制御する。
【００１６】
ここでは、第１目標値が第２等価目標値よりも大きくなる場合には、第２利用ユニットのファン風量が小さくなるように制御するので、第２利用ユニットにおける冷媒溜まりを防止できる。
【発明の効果】
【００１７】
第１発明によれば、用途の異なる複数の利用ユニットを単一熱源に接続し運転するヒートポンプシステムにおいて、各利用ユニットに冷媒を最適に供給することができる。
【００１８】
第２発明によれば、すべての第１利用ユニットに最適な冷媒制御を行うことができる。
【００１９】
第３発明によれば、すべての第１利用ユニットに最適な冷媒制御を行うことができる。
【００２０】
第４発明によれば、第１利用ユニットの利用側熱交換器における過冷却度を一定になるように、すべての第１利用ユニットに最適な冷媒制御を行うことができる。
【００２１】
第５発明によれば、すべての第１利用ユニットおよび第２利用ユニットに最適な冷媒制御を行うことができる。
【００２２】
第６発明によれば、第２利用ユニットにおける冷媒溜まりを防止できる。
【図面の簡単な説明】
【００２３】
【図１】本発明の第１実施形態に係わるヒートポンプシステムの回路図。
【図２】図１のヒートポンプシステムの最適冷媒制御のフローチャート。
【図３】本発明の第２実施形態に係わるヒートポンプシステムの回路図。
【図４】図３のヒートポンプシステムの最適冷媒制御のフローチャート。
【発明を実施するための形態】
【００２４】
以下、本発明にかかるヒートポンプシステムの実施形態について、図面に基づいて説明する。
【００２５】
（第１実施形態）
＜構成＞
−全体−
図１は、本発明の第１実施形態にかかるヒートポンプシステム１の概略構成図である。ヒートポンプシステム１は、蒸気圧縮式のヒートポンプサイクルを利用して水媒体を加熱する運転等を行うことが可能な装置である。
【００２６】
ヒートポンプシステム１は、主として、熱源ユニット２と、２基の第１利用ユニット４ａ、４ｂと、１基の第２利用ユニット１０ａと、吐出冷媒連絡管１２と、液冷媒連絡管１３と、ガス冷媒連絡管１４と、２基の貯湯ユニット８ａ、８ｂと、２基の温水暖房ユニット９ａ、９ｂと、水媒体連絡管１５ａ、１５ｂと、水媒体連絡管１６ａ、１６ｂとを備えており、熱源ユニット２と第１利用ユニット４ａ、４ｂと第２利用ユニット１０ａとが冷媒連絡管１２、１３、１４を介して接続されることによって、熱源側冷媒回路２０を構成し、第１利用ユニット４ａ、４ｂと貯湯ユニット８ａ、８ｂと温水暖房ユニット９ａ、９ｂとが水媒体連絡管１５ａ、１５ｂ、１６ａ、１６ｂを介して接続されることによって、水媒体回路８０ａ、８０ｂを構成している。熱源側冷媒回路２０には、ＨＦＣ系冷媒の一種であるＨＦＣ−４１０Ａが熱源側冷媒として封入されており、また、ＨＦＣ系冷媒に対して相溶性を有するエステル系又はエーテル系の冷凍機油が熱源側圧縮機２１（後述）の潤滑のために封入されている。また、水媒体回路８０ａ、８０ｂには、水媒体としての水が循環するようになっている。
【００２７】
なお、第１実施形態の２基の第１利用ユニット４ａ、４ｂとそれに接続されたユニットのグループ、すなわち、第１利用ユニット４ａと貯湯ユニット８ａと温水暖房ユニット９ａとの組からなるグループ（ａを含む符号が付されたグループ）と、第１利用ユニット４ｂと貯湯ユニット８ｂと温水暖房ユニット９ｂとの組からなるグループ（ｂを含む符号が付されたグループ）とは、同一の構成であり、かつ、互いに並列に冷媒連絡管１２、１３、１４に接続されている。
【００２８】
−熱源ユニット−
熱源ユニット２は、屋外に設置されており、冷媒連絡管１２、１３、１４を介して利用ユニット４ａ、４ｂ、１０ａに接続されており、熱源側冷媒回路２０の一部を構成している。
【００２９】
熱源ユニット２は、主として、熱源側圧縮機２１と、油分離機構２２と、熱源側切換機構２３と、熱源側熱交換器２４と、熱源側膨張機構２５と、吸入戻し管２６と、過冷却器２７と、熱源側アキュムレータ２８と、液側閉鎖弁２９と、ガス側閉鎖弁３０と、吐出側閉鎖弁３１とを有している。
【００３０】
熱源側圧縮機２１は、熱源側冷媒を圧縮する機構であり、ここでは、ケーシング（図示せず）内に収容されたロータリ式やスクロール式等の容積式の圧縮要素（図示せず）が、同じくケーシング内に収容された熱源側圧縮機モータ２１ａによって駆動される密閉式圧縮機が採用されている。この熱源側圧縮機２１のケーシング内には、圧縮要素において圧縮された後の熱源側冷媒が充満する高圧空間（図示せず）が形成されており、この高圧空間には、冷凍機油が溜められている。熱源側圧縮機モータ２１ａは、インバータ装置（図示せず）によって、その回転数（すなわち、運転周波数）を可変でき、これにより、熱源側圧縮機２１の容量制御が可能になっている。
【００３１】
油分離機構２２は、熱源側圧縮機２１から吐出された熱源側冷媒中に含まれる冷凍機油を分離して熱源側圧縮機の吸入に戻すための機構であり、主として、熱源側圧縮機２１の熱源側吐出管２１ｂに設けられた油分離器２２ａと、油分離器２２ａと熱源側圧縮機２１の熱源側吸入管２１ｃとを接続する油戻し管２２ｂとを有している。油分離器２２ａは、熱源側圧縮機２１から吐出された熱源側冷媒中に含まれる冷凍機油を分離する機器である。油戻し管２２ｂは、キャピラリチューブを有しており、油分離器２２ａにおいて熱源側冷媒から分離された冷凍機油を熱源側圧縮機２１の熱源側吸入管２１ｃに戻す冷媒管である。
【００３２】
熱源側切換機構２３は、熱源側熱交換器２４を熱源側冷媒の放熱器として機能させる熱源側放熱運転状態と熱源側熱交換器２４を熱源側冷媒の蒸発器として機能させる熱源側蒸発運転状態とを切り換え可能な四路切換弁であり、熱源側吐出管２１ｂと、熱源側吸入管２１ｃと、熱源側熱交換器２４のガス側に接続された第１熱源側ガス冷媒管２３ａと、ガス側閉鎖弁３０に接続された第２熱源側ガス冷媒管２３ｂとに接続されている。そして、熱源側切換機構２３は、熱源側吐出管２１ｂと第１熱源側ガス冷媒管２３ａとを連通させるとともに、第２熱源側ガス冷媒管２３ｂと熱源側吸入管２１ｃとを連通（熱源側放熱運転状態に対応、図１の熱源側切換機構２３の実線を参照）したり、熱源側吐出管２１ｂと第２熱源側ガス冷媒管２３ｂとを連通させるとともに、第１熱源側ガス冷媒管２３ａと熱源側吸入管２１ｃとを連通（熱源側蒸発運転状態に対応、図１の熱源側切換機構２３の破線を参照）する切り換えを行うことが可能である。尚、熱源側切換機構２３は、四路切換弁に限定されるものではなく、例えば、複数の電磁弁を組み合わせる等によって、上述と同様の熱源側冷媒の流れの方向を切り換える機能を有するように構成したものであってもよい。
【００３３】
熱源側熱交換器２４は、熱源側冷媒と室外空気との熱交換を行うことで熱源側冷媒の放熱器又は蒸発器として機能する熱交換器であり、その液側に熱源側液冷媒管２４ａが接続されており、そのガス側に第１熱源側ガス冷媒管２３ａが接続されている。この熱源側熱交換器２４において熱源側冷媒と熱交換を行う室外空気は、熱源側ファンモータ３２ａによって駆動される熱源側ファン３２によって供給されるようになっている。
【００３４】
熱源側膨張弁２５は、熱源側熱交換器２４を流れる熱源側冷媒の減圧等を行う電動膨張弁であり、熱源側液冷媒管２４ａに設けられている。
【００３５】
吸入戻し管２６は、熱源側液冷媒管２４ａを流れる熱源側冷媒の一部を分岐して熱源側圧縮機２１の吸入に戻す冷媒管であり、ここでは、その一端が熱源側液冷媒管２４ａに接続されており、その他端が熱源側吸入管２１ｃに接続されている。そして、吸入戻し管２６には、開度制御が可能な吸入戻し膨張弁２６ａが設けられている。この吸入戻し膨張弁２６ａは、電動膨張弁からなる。
【００３６】
過冷却器２７は、熱源側液冷媒管２４ａを流れる熱源側冷媒と吸入戻し管２６を流れる熱源側冷媒（より具体的には、吸入戻し膨張弁２６ａによって減圧された後の冷媒）との熱交換を行う熱交換器である。
【００３７】
熱源側アキュムレータ２８は、熱源側吸入管２１ｃに設けられており、熱源側冷媒回路２０を循環する熱源側冷媒を熱源側吸入管２１ｃから熱源側圧縮機２１に吸入される前に一時的に溜めるための容器である。
【００３８】
液側閉鎖弁２９は、熱源側液冷媒管２４ａと液冷媒連絡管１３との接続部に設けられた弁である。ガス側閉鎖弁３０は、第２熱源側ガス冷媒管２３ｂとガス冷媒連絡管１４との接続部に設けられた弁である。吐出側閉鎖弁３１は、熱源側吐出管２１ｂから分岐された熱源側吐出分岐管２１ｄとガス冷媒連絡管１４との接続部に設けられた弁である。
【００３９】
また、熱源ユニット２には、各種のセンサが設けられている。具体的には、熱源ユニット２には、熱源側圧縮機２１の吸入における熱源側冷媒の圧力である熱源側吸入圧力Ｐｓ１を検出する熱源側吸入圧力センサ３３と、熱源側圧縮機２１の吐出における熱源側冷媒の圧力である熱源側吐出圧力Ｐｄ１を検出する熱源側吐出圧力センサ３４と、熱源側熱交換器２４の液側における熱源側冷媒の温度である熱源側熱交換器温度Ｔｈｘを検出する熱源側熱交温度センサ３５と、外気温度Ｔｏを検出する外気温度センサ３６とが設けられている。
【００４０】
−吐出冷媒連絡管−
吐出冷媒連絡管１２は、吐出側閉鎖弁３１を介して熱源側吐出分岐管２１ｄに接続されており、熱源側切換機構２３が熱源側放熱運転状態及び熱源側蒸発運転状態のいずれにおいても熱源側圧縮機２１の吐出から熱源ユニット２外に熱源側冷媒を導出することが可能な冷媒管である。
【００４１】
−液冷媒連絡管−
液冷媒連絡管１３は、液側閉鎖弁２９を介して熱源側液冷媒管２４ａに接続されており、熱源側切換機構２３が熱源側放熱運転状態において熱源側冷媒の放熱器として機能する熱源側熱交換器２４の出口から熱源ユニット２外に熱源側冷媒を導出することが可能で、かつ、熱源側切換機構２３が熱源側蒸発運転状態において熱源ユニット２外から熱源側冷媒の蒸発器として機能する熱源側熱交換器２４の入口に熱源側冷媒を導入することが可能な冷媒管である。
【００４２】
−ガス冷媒連絡管−
ガス冷媒連絡管１４は、ガス側閉鎖弁３０を介して第２熱源側ガス冷媒管２３ｂに接続されており、熱源側切換機構２３が熱源側放熱運転状態において熱源ユニット２外から熱源側圧縮機２１の吸入に熱源側冷媒を導入することが可能で、かつ、熱源側切換機構２３が熱源側蒸発運転状態において熱源側圧縮機２１の吐出から熱源ユニット２外に熱源側冷媒を導出することが可能な冷媒管である。
【００４３】
−第１利用ユニット−
第１利用ユニット４ａ、４ｂは、屋内に設置されており、冷媒連絡管１２、１３を介して熱源ユニット２及び第２利用ユニット１０ａに接続されるとともに第１利用ユニット４ａ、４ｂ同士も互いに接続されており、熱源側冷媒回路２０の一部を構成している。また、第１利用ユニット４ａ、４ｂは、水媒体連絡管１５ａ、１５ｂ、１６ａ、１６ｂ、１５ｂ、１６ｂを介して貯湯ユニット８ａ、８ｂ及び温水暖房ユニット９ａ、９ｂに接続されており、水媒体回路８０ａ、８０ｂの一部を構成している。
【００４４】
第１利用ユニット４ａ、４ｂは、主として、第１利用側熱交換器４１ａ、４１ｂと、第１利用側流量調節弁４２ａ、４２ｂと、循環ポンプ４３ａ、４３ｂとを有している。
【００４５】
第１利用側熱交換器４１ａ、４１ｂは、熱源側冷媒と水媒体との熱交換を行うことで熱源側冷媒の放熱器として機能する熱交換器であり、その熱源側冷媒が流れる流路の液側には、第１利用側液冷媒管４５ａ、４５ｂが接続されており、その熱源側冷媒が流れる流路のガス側には、第１利用側吐出冷媒管４６ａ、４６ｂが接続されており、その水媒体が流れる流路の入口側には、第１利用側水入口管４７ａ、４７ｂが接続されており、その水媒体が流れる流路の出口側には、第１利用側水出口管４８ａ、４８ｂが接続されている。第１利用側液冷媒管４５ａ、４５ｂには、液冷媒連絡管１３が接続されており、第１利用側吐出冷媒管４６ａ、４６ｂには、吐出冷媒連絡管１２が接続されており、第１利用側水入口管４７ａ、４７ｂには、水媒体連絡管１５ａ、１５ｂが接続されており、第１利用側水出口管４８ａ、４８ｂには、水媒体連絡管１６ａ、１６ｂが接続されている。
【００４６】
第１利用側流量調節弁４２ａ、４２ｂは、開度制御を行うことで第１利用側熱交換器４１ａ、４１ｂを流れる熱源側冷媒の流量を可変することが可能な電動膨張弁であり、第１利用側液冷媒管４５ａ、４５ｂに設けられている。
【００４７】
第１利用側吐出冷媒管４６ａ、４６ｂには、吐出冷媒連絡管１２から第１利用側熱交換器４１ａ、４１ｂへ向かう熱源側冷媒の流れを許容し、第１利用側熱交換器４１ａ、４１ｂから吐出冷媒連絡管１２へ向かう熱源側冷媒の流れを禁止する第１利用側吐出逆止弁４９ａ、４９ｂが設けられている。
【００４８】
循環ポンプ４３ａ、４３ｂは、水媒体の昇圧を行う機構であり、ここでは、遠心式や容積式のポンプ要素（図示せず）が循環ポンプモータ４４ａ、４４ｂによって駆動されるポンプが採用されている。循環ポンプ４３ａ、４３ｂは、第１利用側水出口管４８ａ、４８ｂに設けられている。循環ポンプモータ４４ａ、４４ｂは、インバータ装置（図示せず）によって、その回転数（すなわち、運転周波数）を可変でき、これにより、循環ポンプ４３ａ、４３ｂの容量制御が可能になっている。
【００４９】
これにより、第１利用ユニット４ａ、４ｂは、第１利用側熱交換器４１ａ、４１ｂを吐出冷媒連絡管１２から導入される熱源側冷媒の放熱器として機能させることで、第１利用側熱交換器４１ａ、４１ｂにおいて放熱した熱源側冷媒を液冷媒連絡管１３に導出し、第１利用側熱交換器４１ａ、４１ｂにおける熱源側冷媒の放熱によって水媒体を加熱する給湯運転を行うことが可能になっている。
【００５０】
また、第１利用ユニット４ａ、４ｂには、各種のセンサが設けられている。具体的には、第１利用ユニット４ａ、４ｂには、第１利用側熱交換器４１ａ、４１ｂの液側における熱源側冷媒の温度である第１利用側冷媒温度Ｔｓｃ１を検出する第１利用側熱交温度センサ５０ａ、５０ｂと、第１利用側熱交換器４１ａ、４１ｂの入口における水媒体の温度である水媒体入口温度Ｔｗｒを検出する水媒体出口温度センサ５１ａ、５１ｂと、第１利用側熱交換器４１ａ、４１ｂの出口における水媒体の温度である水媒体出口温度Ｔｗｌを検出する水媒体出口温度センサ５２ａ、５２ｂとが設けられている。
【００５１】
−貯湯ユニット−
貯湯ユニット８ａ、８ｂは、屋内に設置されており、水媒体連絡管１５ａ、１５ｂ、１６ａ、１６ｂを介して第１利用ユニット４ａ、４ｂに接続されており、水媒体回路８０ａ、８０ｂの一部を構成している。
【００５２】
貯湯ユニット８ａ、８ｂは、主として、貯湯タンク８１ａ、８１ｂと、熱交換コイル８２ａ、８２ｂとを有している。
【００５３】
貯湯タンク８１ａ、８１ｂは、給湯に供される水媒体としての水を溜める容器であり、その上部には、蛇口やシャワー等に温水となった水媒体を送るための給湯管８３ａ、８３ｂが接続されており、その下部には、給湯管８３ａ、８３ｂによって消費された水媒体の補充を行うための給水管８４ａ、８４ｂが接続されている。
【００５４】
熱交換コイル８２ａ、８２ｂは、貯湯タンク８１ａ、８１ｂ内に設けられており、水媒体回路８０ａ、８０ｂを循環する水媒体と貯湯タンク８１ａ、８１ｂ内の水媒体との熱交換を行うことで貯湯タンク８１ａ、８１ｂ内の水媒体の加熱器として機能する熱交換器であり、その入口には、水媒体連絡管１６ａ、１６ｂが接続されており、その出口には、水媒体連絡管１５ａ、１５ｂが接続されている。
【００５５】
これにより、貯湯ユニット８ａ、８ｂは、第１利用ユニット４ａ、４ｂにおいて加熱された水媒体回路８０ａ、８０ｂを循環する水媒体によって貯湯タンク８１ａ、８１ｂ内の水媒体を加熱して温水として溜めることが可能になっている。尚、ここでは、貯湯ユニット８ａ、８ｂとして、第１利用ユニット４ａ、４ｂにおいて加熱された水媒体との熱交換によって加熱された水媒体を貯湯タンクに溜める型式の貯湯ユニットを採用しているが、第１利用ユニット４ａ、４ｂにおいて加熱された水媒体を貯湯タンクに溜める型式の貯湯ユニットを採用してもよい。
【００５６】
また、貯湯ユニット８ａ、８ｂには、各種のセンサが設けられている。具体的には、貯湯ユニット８ａ、８ｂには、貯湯タンク８１ａ、８１ｂに溜められる水媒体の温度である貯湯温度Ｔｗｈを検出するための貯湯温度センサ８５ａが設けられている。
【００５７】
−温水暖房ユニット−
温水暖房ユニット９ａ、９ｂは、屋内に設置されており、水媒体連絡管１５ａ、１５ｂ、１６ａ、１６ｂを介して第１利用ユニット４ａ、４ｂに接続されており、水媒体回路８０ａ、８０ｂの一部を構成している。
【００５８】
温水暖房ユニット９ａ、９ｂは、主として、熱交換パネル９１ａ、９１ｂを有しており、ラジエータや床暖房パネル等を構成している。
【００５９】
熱交換パネル９１ａ、９１ｂは、ラジエータの場合には、室内の壁際等に設けられ、床暖房パネルの場合には、室内の床下等に設けられており、水媒体回路８０ａ、８０ｂを循環する水媒体の放熱器として機能する熱交換器であり、その入口には、水媒体連絡管１６ａ、１６ｂが接続されており、その出口には、水媒体連絡管１５ａ、１５ｂが接続されている。
【００６０】
−水媒体連絡管−
水媒体連絡管１５ａ、１５ｂは、貯湯ユニット８ａ、８ｂの熱交換コイル８２ａ、８２ｂの出口及び温水暖房ユニット９ａ、９ｂの熱交換パネル９１ａ、９１ｂの出口に接続されている。水媒体連絡管１６ａ、１６ｂは、貯湯ユニット８ａ、８ｂの熱交換コイル８２ａ、８２ｂの入口及び温水暖房ユニット９ａ、９ｂの熱交換パネル９１ａ、９１ｂの入口に接続されている。水媒体連絡管１６ａ、１６ｂには、水媒体回路８０ａ、８０ｂを循環する水媒体を貯湯ユニット８ａ、８ｂ及び温水暖房ユニット９ａ、９ｂの両方、又は、貯湯ユニット８ａ、８ｂ及び温水暖房ユニット９ａ、９ｂのいずれか一方に供給するかの切り換えを行うことが可能な水媒体側切換機構１６１ａ、１６１ｂが設けられている。この水媒体側切換機構１６１ａ、１６１ｂは、三方弁からなる。
【００６１】
−第２利用ユニット−
第２利用ユニット１０ａは、屋内に設置されており、冷媒連絡管１３、１４を介して熱源ユニット２に接続されており、熱源側冷媒回路２０の一部を構成している。
【００６２】
第２利用ユニット１０ａは、主として、第２利用側熱交換器１０１ａと第２利用側流量調節弁１０２ａとを有している。
【００６３】
第２利用側熱交換器１０１ａは、熱源側冷媒と空気媒体としての室内空気との熱交換を行うことで熱源側冷媒の放熱器又は蒸発器として機能する熱交換器であり、その液側に第２利用側液冷媒管１０３ａが接続されており、そのガス側に第２利用側ガス冷媒管１０４ａが接続されている。第２利用側液冷媒管１０３ａには、液冷媒連絡管１３が接続されており、第２利用側ガス冷媒管１０４ａには、ガス冷媒連絡管１４が接続されている。この第２利用側熱交換器１０１ａにおいて熱源側冷媒と熱交換を行う空気媒体は、利用側ファンモータ１０６ａによって駆動される利用側ファン１０５ａによって供給されるようになっている。
【００６４】
第２利用側流量調節弁１０２ａは、開度制御を行うことで第２利用側熱交換器１０１ａを流れる熱源側冷媒の流量を可変することが可能な電動膨張弁であり、第２利用側液冷媒管１０３ａに設けられている。
【００６５】
これにより、第２利用ユニット１０ａは、熱源側切換機構２３が熱源側放熱運転状態において、第２利用側熱交換器１０１ａを液冷媒連絡管１３から導入される熱源側冷媒の蒸発器として機能させることで、第２利用側熱交換器１０１ａにおいて蒸発した熱源側冷媒をガス冷媒連絡管１４に導出し、第２利用側熱交換器１０１ａにおける熱源側冷媒の蒸発によって空気媒体を冷却する冷房運転を行うことが可能になっており、熱源側切換機構２３が熱源側蒸発運転状態において第２利用側熱交換器１０１ａがガス冷媒連絡管１４から導入される熱源側冷媒の放熱器として機能して、第２利用側熱交換器１０１ａにおいて放熱した熱源側冷媒を液冷媒連絡管１３に導出し、第２利用側熱交換器１０１ａにおける熱源側冷媒の放熱によって空気媒体を加熱する暖房運転を行うことが可能になっている。
【００６６】
また、第２利用ユニット１０ａには、各種のセンサが設けられている。具体的には、第２利用ユニット１０ａには、室内温度Ｔｒを検出する室内温度センサ１０７ａが設けられている。
【００６７】
＜動作＞
次に、ヒートポンプシステム１の動作について説明する。
【００６８】
ヒートポンプシステム１の運転モードとしては、第１利用ユニット４ａ、４ｂの給湯運転（すなわち、貯湯ユニット８ａ、８ｂ及び／又は温水暖房ユニット９ａ、９ｂの運転）のみを行う給湯運転モードと、第２利用ユニット１０ａの冷房運転のみを行う冷房運転モードと、第２利用ユニット１０ａの暖房運転のみを行う暖房運転モードと、第１利用ユニット４ａ、４ｂの給湯運転を行うとともに第２利用ユニット１０ａの暖房運転を行う給湯暖房運転モードと、第１利用ユニット４ａ、４ｂの給湯運転を行うとともに第２利用ユニット１０ａの冷房運転を行う給湯冷房運転モードとがある。
【００６９】
以下、ヒートポンプシステム１の５つの運転モードにおける動作について説明する。
【００７０】
−給湯運転モード−
第１利用ユニット４ａ、４ｂの給湯運転のみを行う場合には、熱源側冷媒回路２０においては、熱源側切換機構２３が熱源側蒸発運転状態（図１の熱源側切換機構２３の破線で示された状態）に切り換えられ、吸入戻し膨張弁２６ａ及び第２利用側流量調節弁１０２ａが閉止された状態になる。また、水媒体回路８０ａ、８０ｂにおいては、水媒体切換機構１６１ａ、１６１ｂが貯湯ユニット８ａ、８ｂ及び／又は温水暖房ユニット９ａ、９ｂに水媒体を供給する状態に切り換えられる。
【００７１】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側吐出分岐管２１ｄ及び吐出側閉鎖弁３１を通じて、熱源ユニット２から吐出冷媒連絡管１２に送られる。
【００７２】
吐出冷媒連絡管１２に送られた高圧の熱源側冷媒は、第１利用ユニット４ａ、４ｂに送られる。第１利用ユニット４ａ、４ｂに送られた高圧の熱源側冷媒は、第１利用側吐出冷媒管４６ａ、４６ｂ及び第１利用側吐出逆止弁４９ａ、４９ｂを通じて、第１利用側熱交換器４１ａ、４１ｂに送られる。第１利用側熱交換器４１ａ、４１ｂに送られた高圧の熱源側冷媒は、第１利用側熱交換器４１ａ、４１ｂにおいて、循環ポンプ４３ａ、４３ｂによって水媒体回路８０ａ、８０ｂを循環する水媒体と熱交換を行って放熱する。第１利用側熱交換器４１ａ、４１ｂにおいて放熱した高圧の熱源側冷媒は、第１利用側流量調節弁４２ａ、４２ｂ及び第１利用側液冷媒管４５ａ、４５ｂを通じて、第１利用ユニット４ａ、４ｂから液冷媒連絡管１３に送られる。
【００７３】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【００７４】
一方、水媒体回路８０ａ、８０ｂにおいては、第１利用側熱交換器４１ａ、４１ｂにおける熱源側冷媒の放熱によって水媒体回路８０ａ、８０ｂを循環する水媒体が加熱される。第１利用側熱交換器４１ａ、４１ｂにおいて加熱された水媒体は、第１利用側水出口管４８ａ、４８ｂを通じて、循環ポンプ４３ａ、４３ｂに吸入され、昇圧された後に、第１利用ユニット４ａ、４ｂから水媒体連絡管１６ａ、１６ｂに送られる。水媒体連絡管１６ａ、１６ｂに送られた水媒体は、水媒体側切換機構１６１ａ、１６１ｂを通じて、貯湯ユニット８ａ、８ｂ及び／又は温水暖房ユニット９ａ、９ｂに送られる。貯湯ユニット８ａ、８ｂに送られた水媒体は、熱交換コイル８２ａ、８２ｂにおいて貯湯タンク８１ａ、８１ｂ内の水媒体と熱交換を行って放熱し、これにより、貯湯タンク８１ａ、８１ｂ内の水媒体を加熱する。温水暖房ユニット９ａ、９ｂに送られた水媒体は、熱交換パネル９１ａ、９１ｂにおいて放熱し、これにより、室内の壁際等を加熱したり室内の床を加熱する。
【００７５】
このようにして、第１利用ユニット４ａ、４ｂの給湯運転のみを行う給湯運転モードにおける動作が行われる。
【００７６】
なお、第１利用ユニット４ａ、４ｂのいずれか一方の給湯運転を停止し、他方のみを給湯運転する場合には、給湯運転を停止する側の第１利用ユニット４ａ、４ｂの第１利用側流量調節弁４２ａ、４２ｂを閉止すればよい。また、後述の給湯暖房運転および給湯冷房運転の場合も同様である。
【００７７】
−冷房運転モード−
第２利用ユニット１０ａの冷房運転のみを行う場合には、熱源側冷媒回路２０においては、熱源側切換機構２３が熱源側放熱運転状態（図１の熱源側切換機構２３の実線で示された状態）に切り換えられ、第１利用側流量調節弁４２ａ、４２ｂが閉止された状態になる。
【００７８】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側ファン３２によって供給される室外空気と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、熱源側液冷媒管２４ａから吸入戻し管２６に分岐された熱源側冷媒と熱交換を行って過冷却状態になるように冷却される。吸入戻し管２６を流れる熱源側冷媒は、熱源側吸入管２１ｃに戻される。過冷却器２７において冷却された熱源側冷媒は、熱源側液冷媒管２４ａ及び液側閉鎖弁２９を通じて、熱源ユニット２から液冷媒連絡管１３に送られる。
【００７９】
液冷媒連絡管１３に送られた高圧の熱源側冷媒は、第２利用ユニット１０ａに送られる。第２利用ユニット１０ａに送られた高圧の熱源側冷媒は、第２利用側流量調節弁１０２ａに送られる。第２利用側流量調節弁１０２ａに送られた高圧の熱源側冷媒は、第２利用側流量調節弁１０２ａにおいて減圧されて、低圧の気液二相状態になり、第２利用側液冷媒管１０３ａを通じて、第２利用側熱交換器１０１ａに送られる。第２利用側熱交換器１０１ａに送られた低圧の熱源側冷媒は、第２利用側熱交換器１０１ａにおいて、利用側ファン１０５ａによって供給される空気媒体と熱交換を行って蒸発し、これにより、室内の冷房を行う。第２利用側熱交換器１０１ａにおいて蒸発した低圧の熱源側冷媒は、第２利用側ガス冷媒管１０４ａを通じて、第２利用ユニット１０ａからガス冷媒連絡管１４に送られる。
【００８０】
ガス冷媒連絡管１４に送られた低圧の熱源側冷媒は、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【００８１】
このようにして、第２利用ユニット１０ａの冷房運転のみを行う冷房運転モードにおける動作が行われる。
【００８２】
−暖房運転モード−
第２利用ユニット１０ａの暖房運転のみを行う場合には、熱源側冷媒回路２０においては、熱源側切換機構２３が熱源側放熱運転状態（図１の熱源側切換機構２３の破線で示された状態）に切り換えられ、吸入戻し膨張弁２６ａ及び第１利用側流量調節弁４２ａ、４２ｂが閉止された状態になる。
【００８３】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、熱源側切換機構２３、第２熱源側ガス冷媒管２３ｂ及びガス側閉鎖弁３０を通じて、熱源ユニット２からガス冷媒連絡管１４に送られる。
【００８４】
ガス冷媒連絡管１４に送られた高圧の熱源側冷媒は、第２利用ユニット１０ａに送られる。第２利用ユニット１０ａに送られた高圧の熱源側冷媒は、第２利用側ガス冷媒管１０４ａを通じて、第２利用側熱交換器１０１ａに送られる。第２利用側熱交換器１０１ａに送られた高圧の熱源側冷媒は、第２利用側熱交換器１０１ａにおいて、利用側ファン１０５ａによって供給される空気媒体と熱交換を行って放熱し、これにより、室内の暖房を行う。第２利用側熱交換器１０１ａにおいて放熱した高圧の熱源側冷媒は、第２利用側流量調節弁１０２ａ及び第２利用側液冷媒管１０３ａを通じて、第２利用ユニット１０ａから液冷媒連絡管１３に送られる。
【００８５】
液冷媒連絡管１３に送られた熱源側冷媒は、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【００８６】
このようにして、第２利用ユニット１０ａの暖房運転のみを行う暖房運転モードにおける動作が行われる。
【００８７】
−給湯暖房運転モード−
第１利用ユニット４ａ、４ｂの給湯運転を行うとともに第２利用ユニット１０ａの暖房運転を行う場合には、熱源側冷媒回路２０においては、熱源側切換機構２３が熱源側蒸発運転状態（図１の熱源側切換機構２３の破線で示された状態）に切り換えられ、吸入戻し膨張弁２６ａが閉止された状態になる。また、水媒体回路８０ａ、８０ｂにおいては、水媒体切換機構１６１ａ、１６１ｂが貯湯ユニット８ａ、８ｂ及び／又は温水暖房ユニット９ａ、９ｂに水媒体を供給する状態に切り換えられる。
【００８８】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、その一部が、熱源側吐出分岐管２１ｄ及び吐出側閉鎖弁３１を通じて、熱源ユニット２から吐出冷媒連絡管１２に送られ、その残りが、熱源側切換機構２３、第２熱源側ガス冷媒管２３ｂ及びガス側閉鎖弁３０を通じて、熱源ユニット２からガス冷媒連絡管１４に送られる。
【００８９】
ガス冷媒連絡管１４に送られた高圧の熱源側冷媒は、第２利用ユニット１０ａに送られる。第２利用ユニット１０ａに送られた高圧の熱源側冷媒は、第２利用側ガス冷媒管１０４ａを通じて、第２利用側熱交換器１０１ａに送られる。第２利用側熱交換器１０１ａに送られた高圧の熱源側冷媒は、第２利用側熱交換器１０１ａにおいて、利用側ファン１０５ａによって供給される空気媒体と熱交換を行って放熱し、これにより、室内の暖房を行う。第２利用側熱交換器１０１ａにおいて放熱した高圧の熱源側冷媒は、第２利用側流量調節弁１０２ａ及び第２利用側液冷媒管１０３ａを通じて、第２利用ユニット１０ａから液冷媒連絡管１３に送られる。
【００９０】
吐出冷媒連絡管１２に送られた高圧の熱源側冷媒は、第１利用ユニット４ａ、４ｂに送られる。第１利用ユニット４ａ、４ｂに送られた高圧の熱源側冷媒は、第１利用側吐出冷媒管４６ａ、４６ｂ及び第１利用側吐出逆止弁４９ａ、４９ｂを通じて、第１利用側熱交換器４１ａ、４１ｂに送られる。第１利用側熱交換器４１ａ、４１ｂに送られた高圧の熱源側冷媒は、第１利用側熱交換器４１ａ、４１ｂにおいて、循環ポンプ４３ａ、４３ｂによって水媒体回路８０ａ、８０ｂを循環する水媒体と熱交換を行って放熱する。第１利用側熱交換器４１ａ、４１ｂにおいて放熱した高圧の熱源側冷媒は、第１利用側流量調節弁４２ａ、４２ｂ及び第１利用側液冷媒管４５ａ、４５ｂを通じて、第１利用ユニット４ａ、４ｂから液冷媒連絡管１３に送られる。
【００９１】
第２利用ユニット１０ａ及び第１利用ユニット４ａ、４ｂから液冷媒連絡管１３に送られた熱源側冷媒は、液冷媒連絡管１３において合流して、熱源ユニット２に送られる。熱源ユニット２に送られた熱源側冷媒は、液側閉鎖弁２９を通じて、過冷却器２７に送られる。過冷却器２７に送られた熱源側冷媒は、吸入戻し管２６に熱源側冷媒が流れていないため、熱交換を行うことなく、熱源側膨張弁２５に送られる。熱源側膨張弁２５に送られた熱源側冷媒は、熱源側膨張弁２５において減圧されて、低圧の気液二相状態になり、熱源側液冷媒管２４ａを通じて、熱源側熱交換器２４に送られる。熱源側熱交換器２４に送られた低圧の冷媒は、熱源側熱交換器２４において、熱源側ファン３２によって供給される室外空気と熱交換を行って蒸発する。熱源側熱交換器２４において蒸発した低圧の熱源側冷媒は、第１熱源側ガス冷媒管２３ａ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【００９２】
一方、水媒体回路８０ａ、８０ｂにおいては、第１利用側熱交換器４１ａ、４１ｂにおける熱源側冷媒の放熱によって水媒体回路８０ａ、８０ｂを循環する水媒体が加熱される。第１利用側熱交換器４１ａ、４１ｂにおいて加熱された水媒体は、第１利用側水出口管４８ａ、４８ｂを通じて、循環ポンプ４３ａ、４３ｂに吸入され、昇圧された後に、第１利用ユニット４ａ、４ｂから水媒体連絡管１６ａ、１６ｂに送られる。水媒体連絡管１６ａ、１６ｂに送られた水媒体は、水媒体側切換機構１６１ａ、１６１ｂを通じて、貯湯ユニット８ａ、８ｂ及び／又は温水暖房ユニット９ａ、９ｂに送られる。貯湯ユニット８ａ、８ｂに送られた水媒体は、熱交換コイル８２ａ、８２ｂにおいて貯湯タンク８１ａ、８１ｂ内の水媒体と熱交換を行って放熱し、これにより、貯湯タンク８１ａ、８１ｂ内の水媒体を加熱する。温水暖房ユニット９ａ、９ｂに送られた水媒体は、熱交換パネル９１ａ、９１ｂにおいて放熱し、これにより、室内の壁際等を加熱したり室内の床を加熱する。
【００９３】
このようにして、第１利用ユニット４ａ、４ｂの給湯運転を行うとともに第２利用ユニット１０ａの暖房運転を行う給湯暖房運転モードにおける動作が行われる。
【００９４】
−給湯冷房運転モード−
第１利用ユニット４ａ、４ｂの給湯運転を行うとともに第２利用ユニット１０ａの冷房運転を行う場合には、熱源側冷媒回路２０においては、熱源側切換機構２３が熱源側放熱運転状態（図１の熱源側切換機構２３の実線で示された状態）に切り換えられる。また、水媒体回路８０ａ、８０ｂにおいては、水媒体切換機構１６１ａ、１６１ｂが貯湯ユニット８ａ、８ｂに水媒体を供給する状態に切り換えられる。
【００９５】
このような状態の熱源側冷媒回路２０において、冷凍サイクルにおける低圧の熱源側冷媒は、熱源側吸入管２１ｃを通じて、熱源側圧縮機２１に吸入され、冷凍サイクルにおける高圧まで圧縮された後に、熱源側吐出管２１ｂに吐出される。熱源側吐出管２１ｂに吐出された高圧の熱源側冷媒は、油分離器２２ａにおいて冷凍機油が分離される。油分離器２２ａにおいて熱源側冷媒から分離された冷凍機油は、油戻し管２２ｂを通じて、熱源側吸入管２１ｃに戻される。冷凍機油が分離された高圧の熱源側冷媒は、その一部が、熱源側吐出分岐管２１ｄ及び吐出側閉鎖弁３１を通じて、熱源ユニット２から吐出冷媒連絡管１２に送られ、その残りが、熱源側切換機構２３及び第１熱源側ガス冷媒管２３ａを通じて、熱源側熱交換器２４に送られる。熱源側熱交換器２４に送られた高圧の熱源側冷媒は、熱源側熱交換器２４において、熱源側ファン３２によって供給される室外空気と熱交換を行って放熱する。熱源側熱交換器において放熱した高圧の熱源側冷媒は、熱源側膨張弁２５を通じて、過冷却器２７に送られる。過冷却器２７に送られた熱源側冷媒は、熱源側液冷媒管２４ａから吸入戻し管２６に分岐された熱源側冷媒と熱交換を行って過冷却状態になるように冷却される。吸入戻し管２６を流れる熱源側冷媒は、熱源側吸入管２１ｃに戻される。過冷却器２７において冷却された熱源側冷媒は、熱源側液冷媒管２４ａ及び液側閉鎖弁２９を通じて、熱源ユニット２から液冷媒連絡管１３に送られる。
【００９６】
吐出冷媒連絡管１２に送られた高圧の熱源側冷媒は、第１利用ユニット４ａ、４ｂに送られる。第１利用ユニット４ａ、４ｂに送られた高圧の熱源側冷媒は、第１利用側吐出冷媒管４６ａ、４６ｂ及び第１利用側吐出逆止弁４９ａ、４９ｂを通じて、第１利用側熱交換器４１ａ、４１ｂに送られる。第１利用側熱交換器４１ａ、４１ｂに送られた高圧の熱源側冷媒は、第１利用側熱交換器４１ａ、４１ｂにおいて、循環ポンプ４３ａ、４３ｂによって水媒体回路８０ａ、８０ｂを循環する水媒体と熱交換を行って放熱する。第１利用側熱交換器４１ａ、４１ｂにおいて放熱した高圧の熱源側冷媒は、第１利用側流量調節弁４２ａ、４２ｂ及び第１利用側液冷媒管４５ａ、４５ｂを通じて、第１利用ユニット４ａ、４ｂから液冷媒連絡管１３に送られる。
【００９７】
熱源ユニット２及び第１利用ユニット４ａ、４ｂから液冷媒連絡管１３に送られた熱源側冷媒は、液冷媒連絡管１３において合流して、第２利用ユニット１０ａに送られる。第２利用ユニット１０ａに送られた熱源側冷媒は、第２利用側流量調節弁１０２ａに送られる。第２利用側流量調節弁１０２ａに送られた熱源側冷媒は、第２利用側流量調節弁１０２ａにおいて減圧されて、低圧の気液二相状態になり、第２利用側液冷媒管１０３ａを通じて、第２利用側熱交換器１０１ａに送られる。第２利用側熱交換器１０１ａに送られた低圧の熱源側冷媒は、第２利用側熱交換器１０１ａにおいて、利用側ファン１０５ａによって供給される空気媒体と熱交換を行って蒸発し、これにより、室内の冷房を行う。第２利用側熱交換器１０１ａにおいて蒸発した低圧の熱源側冷媒は、第２利用側ガス冷媒管１０４ａを通じて、第２利用ユニット１０ａからガス冷媒連絡管１４に送られる。
【００９８】
ガス冷媒連絡管１４に送られた低圧の熱源側冷媒は、熱源ユニット２に送られる。熱源ユニット２に送られた低圧の熱源側冷媒は、ガス側閉鎖弁３０、第２熱源側ガス冷媒管２３ｂ及び熱源側切換機構２３を通じて、熱源側アキュムレータ２８に送られる。熱源側アキュムレータ２８に送られた低圧の熱源側冷媒は、熱源側吸入管２１ｃを通じて、再び、熱源側圧縮機２１に吸入される。
【００９９】
一方、水媒体回路８０ａ、８０ｂにおいては、第１利用側熱交換器４１ａ、４１ｂにおける熱源側冷媒の放熱によって水媒体回路８０ａ、８０ｂを循環する水媒体が加熱される。第１利用側熱交換器４１ａ、４１ｂにおいて加熱された水媒体は、第１利用側水出口管４８ａ、４８ｂを通じて、循環ポンプ４３ａ、４３ｂに吸入され、昇圧された後に、第１利用ユニット４ａ、４ｂから水媒体連絡管１６ａ、１６ｂに送られる。水媒体連絡管１６ａ、１６ｂに送られた水媒体は、水媒体側切換機構１６１ａ、１６１ｂを通じて、貯湯ユニット８ａ、８ｂに送られる。貯湯ユニット８ａ、８ｂに送られた水媒体は、熱交換コイル８２ａ、８２ｂにおいて貯湯タンク８１ａ、８１ｂ内の水媒体と熱交換を行って放熱し、これにより、貯湯タンク８１ａ、８１ｂ内の水媒体を加熱する。
【０１００】
このようにして、第１利用ユニット４ａ、４ｂの給湯運転を行うとともに第２利用ユニット１０ａの冷房運転を行う給湯冷房運転モードにおける動作が行われる。
【０１０１】
＜ヒートポンプシステム１の最適冷媒制御＞
実施形態のヒートポンプシステム１は、図２に示されるフローチャートのように、最適冷媒制御を行う。冷媒制御は、制御コンピュータＣｔによるヒートポンプシステム１の各ユニット２、４ａ、４ｂ、１０ａの制御によって実行される。
【０１０２】
まず基本的に、制御コンピュータＣｔは、熱源側圧縮機２１の運転容量を、熱源側圧縮機２１の熱源側吐出圧力Ｐｄ１又はそれに等価な状態量が第１目標値Ａとなるように制御する。熱源側吐出圧力Ｐｄ１は、熱源側吐出圧力センサ３４によって検出される。
【０１０３】
そして、まず図２のステップＳ１において、各第１利用ユニット４ａ、４ｂの第１利用側熱交換器４１ａ、４１ｂの出口における水媒体の温度である水媒体出口温度Ｔｗｌを測定する。
【０１０４】
ついで、ステップＳ２において、制御コンピュータＣｔは、個々の第１利用ユニット４ａ、４ｂについて、測定された水媒体出口温度Ｔｗｌに基づいて、第１目標値Ａと同次元の状態量である等価目標値Ｂ（例えば吐出圧力と同じ状態量など）を求める。
【０１０５】
ついで、ステップＳ３において、制御コンピュータＣｔは、ステップＳ２において求めた複数の等価目標値Ｂのうち、最大のＢに基づいて等価の第１目標値Ａを求める。
【０１０６】
ついで、ステップＳ４において、制御コンピュータＣｔは、ステップＳ３で求めた等価の第１目標値Ａに基づいて、熱源側圧縮機２１の回転周波数の制御をする。
【０１０７】
それとともに、ステップＳ５において、制御コンピュータＣｔは、個々の第１利用ユニット４ａ、４ｂについて、過冷却度設定値ΔＴｃを変更することによって、冷媒流量の補正制御、具体的には、第１利用側流量調節弁４２ａ、４２ｂの制御を行う。
【０１０８】
以上のような制御をすることにより、用途の異なる複数の第１利用ユニット４ａ、４ｂおよび第２利用ユニット１０ａを単一の熱源ユニット２に接続し運転するヒートポンプシステム１において、各第１利用ユニット４ａ、４ｂに冷媒を最適に供給することができる。
【０１０９】
−水媒体回路を循環する水媒体の流量制御−
次に、上述の給湯運転、給湯暖房運転及び給湯冷房運転における水媒体回路８０ａ、８０ｂを循環する水媒体の流量制御について説明する。
【０１１０】
このヒートポンプシステム１では、第１利用側熱交換器４１ａ、４１ｂの出口における水媒体の温度（すなわち、水媒体出口温度Ｔｗｌ）と第１利用側熱交換器４１ａ、４１ｂの入口における水媒体の温度（すなわち、水媒体入口温度Ｔｗｒ）との温度差（すなわち、Ｔｗｌ−Ｔｗｒ）である水媒体出入口温度差ΔＴｗが所定の目標水媒体出入口温度差ΔＴｗｓになるように循環ポンプ４３ａ、４３ｂの容量制御が行われる。より具体的には、水媒体出入口温度差ΔＴｗが目標水媒体出入口温度差ΔＴｗｓよりも大きい場合には、水媒体回路８０ａ、８０ｂを循環する水媒体の流量が少ないものと判定して、循環ポンプモータ４４ａ、４４ｂの回転数（すなわち、運転周波数）を大きくすることで循環ポンプ４３ａ、４３ｂの運転容量が大きくなるように制御し、水媒体出入口温度差ΔＴｗが目標水媒体出入口温度差ΔＴｗｓよりも小さい場合には、水媒体回路８０ａ、８０ｂを循環する水媒体の流量が多いものと判定して、循環ポンプモータ４４ａ、４４ｂの回転数（すなわち、運転周波数）を小さくすることで循環ポンプ４３ａ、４３ｂの運転容量が小さくなるように制御する。これにより、水媒体回路８０ａ、８０ｂを循環する水媒体の流量が適切に制御されるようになっている。尚、目標水媒体出入口温度差ΔＴｗｓは、第１利用側熱交換器４１ａ、４１ｂの熱交換能力の設計条件等を考慮して設定されている。
【０１１１】
＜第１実施形態の特徴＞
（１）
第１実施形態のヒートポンプシステム１は、上述のように、熱源側圧縮機２１と、冷媒の蒸発器として機能する熱源側熱交換器２４とを有する熱源ユニット２と、熱源ユニット２に接続されており、冷媒の放熱器として機能する利用側熱交換器４１ａ、４１ｂ、１０１ａを有する複数の利用ユニット４ａ、４ｂ、１０ａとを備えている。
【０１１２】
しかも、ヒートポンプシステム１は、熱源側圧縮機２１の吐出圧又はそれに等価な状態量が第１目標値Ａとなるように、熱源側圧縮機２１の運転容量を制御する。そして、第１目標値Ａは、各々の第１利用ユニット４a、４ｂにおいて要求される利用温度に等価な水系媒体の温度に関連する第１等価目標値Ｂに基づいて決定される。
【０１１３】
以上のような制御をすることにより、用途の異なる複数の第１利用ユニット４ａ、４ｂおよび第２利用ユニット１０ａを単一の熱源ユニット２に接続し運転するヒートポンプシステム１において、各第１利用ユニット４ａ、４ｂに冷媒を最適に供給することができる。
【０１１４】
（２）
すなわち、第１実施形態のヒートポンプシステム１は、熱源機に床暖房等の温水循環式暖房や給湯を行う為の温水加熱ユニットとして第１利用ユニット４ａ、４ｂが接続され、これら温水加熱ユニットが要求に応じ複数台並列にマルチ接続可能なシステムにおいて最適に各温水加熱ユニットに冷媒を供給することが可能である。
【０１１５】
ここで、床暖房等の温水循環式暖房や給湯を行う為の温水加熱機器においては、一般的に、供給する出口側水温を保証し、その温度となるように、通常、機器の制御を行っている。温水の用途が異なる場合、当然その出口温度は異なる。例えば床暖房においては、約３５℃、低温度パネルヒータにおいては約４５℃、給湯においては約４０℃〜６０℃となる。この様な用途の異なる複数の温水加熱器を単一熱源に接続し運転するヒートポンプシステム１においては、どの様に各第１利用ユニット４ａ、４ｂに冷媒を供給するのかが技術的課題である。
【０１１６】
そこで、第１実施形態のヒートポンプシステム１では、各々の第１利用ユニット４a、４ｂにおいて要求される利用温度に等価な等価目標値Ｂに基づいて決定される等価の第１目標値Ａを用いて熱源側圧縮機２１の運転容量を制御することにより、この技術的課題を解決している。
【０１１７】
（３）
また、第１実施形態のヒートポンプシステム１では、複数の利用ユニット４ａ、４ｂは、各利用側熱交換器４１ａ、４１ｂにおける冷媒の放熱によって水系媒体を加熱することが可能な第１利用ユニット４ａ、４ｂを複数含んでいる。等価目標値は、各第１利用ユニット４ａ、４ｂにおいて要求される利用温度に等価な水系媒体の温度に基づく第１等価目標値Ｂである。第１目標値Ａは、各第１利用ユニット４ａ、４ｂの等価目標値Ｂの中で最も大きい値に基づいて決定される。したがって、すべての第１利用ユニット４ａ、４ｂに最適な冷媒制御を行うことが可能である。
【０１１８】
（４）
また、第１実施形態のヒートポンプシステム１では、第１利用ユニット４ａ、４ｂのうち、第１目標値Ａが第１等価目標値Ｂよりも大きくなる第１利用ユニット４ａ、４ｂのうちのいずれ一方については、第１目標値Ａと第１等価目標値Ｂとの差分に基づく補正値を用いて、冷媒流量制御手段である第１利用側流量調節弁４２ａ、４２ｂの制御を行う。これにより、すべての第１利用ユニット４ａ、４ｂに最適な冷媒制御を行うことが可能である。
【０１１９】
（５）
また、第１実施形態のヒートポンプシステム１では、第１利用側流量調節弁４２ａ、４２ｂの制御は、過冷却度設定値を変更することによって行うので、第１利用ユニット４ａ、４ｂの利用側熱交換器４１ａ、４１ｂにおける過冷却度を一定になるように制御でき、その結果、すべての第１利用ユニット４ａ、４ｂに最適な冷媒制御を行うことが可能である。
【０１２０】
＜第１実施形態の変形例＞
（Ａ）
上記の第１実施形態のヒートポンプシステム１では、第１利用ユニット４ａ、４ｂとして、第１利用側熱交換器４１ａ、４１ｂにより熱源側冷媒回路２０の冷媒と水媒体回路８０ａ、８０ｂの水との間で直接熱交換を行っているが、本発明はこれに限定されるものではなく、熱源側冷媒回路２０と水媒体回路８０ａ、８０ｂとの間に別の冷媒回路を介在させてカスケード式のヒートポンプシステムを構成してもよい。この場合も、上記実施形態の運転制御を行うことにより、以上のような制御をすることにより、用途の異なる複数の第１利用ユニット４ａ、４ｂおよび第２利用ユニット１０ａを単一の熱源ユニット２に接続し運転するヒートポンプシステム１において、各第１利用ユニット４ａ、４ｂに冷媒を最適に供給することができる。
【０１２１】
（第２実施形態）
＜構成＞
−全体−
図３は、本発明の第２実施形態にかかるヒートポンプシステム２０１の概略構成図である。第２実施形態のヒートポンプシステム２０１は、上記の第１実施形態のヒートポンプシステム１と同様に、蒸気圧縮式のヒートポンプサイクルを利用して水媒体を加熱する運転等を行うことが可能な装置である。
【０１２２】
ただし、第２実施形態のヒートポンプシステム２０１は、１基の第１利用ユニット４ａと２基の第２利用ユニット１０ａ、１０ｂを有する点で、上記の第１実施形態のヒートポンプシステム１と異なる。
【０１２３】
すなわち、ヒートポンプシステム２０１は、主として、熱源ユニット２と、１基の第１利用ユニット４ａと、２基の第２利用ユニット１０ａ、１０ｂと、吐出冷媒連絡管１２と、液冷媒連絡管１３と、ガス冷媒連絡管１４と、貯湯ユニット８ａと、温水暖房ユニット９ａと、水媒体連絡管１５ａ、１５ｂと、水媒体連絡管１６ａ、１６ｂとを備えており、熱源ユニット２と第１利用ユニット４ａと第２利用ユニット１０ａ、１０ｂとが冷媒連絡管１２、１３、１４を介して接続されることによって、熱源側冷媒回路２０を構成し、第１利用ユニット４ａと貯湯ユニット８ａと温水暖房ユニット９ａとが水媒体連絡管１５ａ、１６ａを介して接続されることによって、水媒体回路８０ａを構成している。熱源側冷媒回路２０には、ＨＦＣ系冷媒の一種であるＨＦＣ−４１０Ａが熱源側冷媒として封入されており、また、ＨＦＣ系冷媒に対して相溶性を有するエステル系又はエーテル系の冷凍機油が熱源側圧縮機２２（後述）の潤滑のために封入されている。また、水媒体回路８０ａには、水媒体としての水が循環するようになっている。
【０１２４】
なお、第２実施形態の第２利用ユニット１０ａは、第２利用ユニット１０ｂと同一の構成であり、かつ、互いに並列に冷媒連絡管１３、１４に接続される。
【０１２５】
−第２利用ユニット−
第２利用ユニット１０ａ、１０ｂは、屋内に設置されており、冷媒連絡管１３、１４を介して熱源ユニット２に接続されるとともに第２利用ユニット１０ａ、１０ｂ同士も互いに接続されており、熱源側冷媒回路２０の一部を構成している。
【０１２６】
第２利用ユニット１０ａ、１０ｂは、主として、第２利用側熱交換器１０１ａ、１０１ｂと第２利用側流量調節弁１０２ａ、１０２ｂとを有している。
【０１２７】
第２利用側熱交換器１０１ａ、１０１ｂは、熱源側冷媒と空気媒体としての室内空気との熱交換を行うことで熱源側冷媒の放熱器又は蒸発器として機能する熱交換器であり、その液側に第２利用側液冷媒管１０３ａ、１０３ｂが接続されており、そのガス側に第２利用側ガス冷媒管１０４ａ、１０４ｂが接続されている。第２利用側液冷媒管１０３ａ、１０３ｂには、液冷媒連絡管１３が接続されており、第２利用側ガス冷媒管１０４ａ、１０４ｂには、ガス冷媒連絡管１４が接続されている。この第２利用側熱交換器１０１ａ、１０１ｂにおいて熱源側冷媒と熱交換を行う空気媒体は、利用側ファンモータ１０６ａ、１０６ｂによって駆動される利用側ファン１０５ａ、１０５ｂによって供給されるようになっている。
【０１２８】
第２利用側流量調節弁１０２ａ、１０２ｂは、開度制御を行うことで第２利用側熱交換器１０１ａ、１０１ｂを流れる熱源側冷媒の流量を可変することが可能な電動膨張弁であり、第２利用側液冷媒管１０３ａ、１０３ｂに設けられている。
【０１２９】
これにより、第２利用ユニット１０ａ、１０ｂは、熱源側切換機構２３が熱源側放熱運転状態において、第２利用側熱交換器１０１ａ、１０１ｂを液冷媒連絡管１３から導入される熱源側冷媒の蒸発器として機能させることで、第２利用側熱交換器１０１ａ、１０１ｂにおいて蒸発した熱源側冷媒をガス冷媒連絡管１４に導出し、第２利用側熱交換器１０１ａ、１０１ｂにおける熱源側冷媒の蒸発によって空気媒体を冷却する冷房運転を行うことが可能になっており、熱源側切換機構２３が熱源側蒸発運転状態において第２利用側熱交換器１０１ａ、１０１ｂがガス冷媒連絡管１４から導入される熱源側冷媒の放熱器として機能して、第２利用側熱交換器１０１ａ、１０１ｂにおいて放熱した熱源側冷媒を液冷媒連絡管１３に導出し、第２利用側熱交換器１０１ａ、１０１ｂにおける熱源側冷媒の放熱によって空気媒体を加熱する暖房運転を行うことが可能になっている。
【０１３０】
また、第２利用ユニット１０ａ、１０ｂには、各種のセンサが設けられている。具体的には、第２利用ユニット１０ａ、１０ｂには、室内温度Ｔｒを検出する室内温度センサ１０７ａ、１０７ｂが設けられている。
【０１３１】
第２実施形態のヒートポンプシステム２０１も、第１実施形態のヒートポンプシステム２０１と同様に、給湯運転モード、冷房運転モード、暖房運転モード、給湯暖房運転モード、給湯冷房運転モードが可能である。
【０１３２】
なお、第２利用ユニット１０ａ、１０ｂのいずれか一方の冷房または暖房運転を停止し、他方のみを冷房または暖房運転する場合には、冷房または暖房運転を停止する側の第１利用ユニット１０ａ、１０ｂの第１利用側流量調節弁１０２ａ、１０２ｂを閉止すればよい。また、後述の給湯暖房運転および給湯冷房運転の場合も同様である。
【０１３３】
＜ヒートポンプシステム２０１の最適冷媒制御＞
第２実施形態のヒートポンプシステム２０１は、図４に示されるフローチャートのように、最適冷媒制御を行う。冷媒制御は、制御コンピュータＣｔによるヒートポンプシステム１の各ユニット２、４ａ、１０ａ、１０ｂの制御によって実行される。
【０１３４】
まず基本的に、制御コンピュータＣｔは、熱源側圧縮機２１の運転容量を、熱源側圧縮機２１の熱源側吐出圧力Ｐｄ１又はそれに等価な状態量が第１目標値Ａとなるように制御する。熱源側吐出圧力Ｐｄ１は、熱源側吐出圧力センサ３４によって検出される。
【０１３５】
そして、まず図４のステップＳ２１において、第１利用ユニット４ａの第１利用側熱交換器４１ａの出口における水媒体の温度である水媒体出口温度Ｔｗｌを測定する。
【０１３６】
ついで、図４のステップＳ２２において、各第２利用ユニット１０ａ、１０ｂの室内温度Ｔｒを測定する。室内温度Ｔｒは、室内温度センサ１０７ａ、１０７ｂによって検出される。
【０１３７】
ついで、ステップＳ２３において、制御コンピュータＣｔは、第１利用ユニット４ａについて、測定された水媒体出口温度Ｔｗｌに基づいて、第１目標値Ａと同次元の状態量である等価目標値Ｂ（例えば吐出圧力と同じ状態量など）を求める。また、制御コンピュータＣｔは、個々の第２利用ユニット１０ａ、１０ｂについて、測定された室内温度Ｔｒに基づいて、それぞれの等価目標値Ｃを求める。等価目標値Ｃも、第１目標値Ａと同次元の状態量である。
【０１３８】
ついで、ステップＳ２４において、制御コンピュータＣｔは、ステップＳ２３において求めた複数の等価目標値Ｂ、Ｃのうち、最大のＢ、Ｃに基づいて、等価の第１目標値Ａを求める。
【０１３９】
ついで、ステップＳ２５において、制御コンピュータＣｔは、ステップＳ２４で求めた等価の第１目標値Ａに基づいて、熱源側圧縮機２１の回転周波数の制御をする。
【０１４０】
そして、ステップＳ２６において、制御コンピュータＣｔは、個々の第２利用ユニット１０ａ、１０ｂについて、過冷却度設定値ΔＴｃを変更することによって、冷媒流量の補正制御、具体的には、第２利用側流量調節弁１０２ａ、１０２ｂの制御を行う。
【０１４１】
そして、ステップＳ２７において、制御コンピュータＣｔは、個々の第２利用ユニット１０ａ、１０ｂについて、風量を調整する。例えば、第１目標値Ａが第２等価目標値Ｃよりも大きくなる場合には、第２利用ユニット１０ａ、１０ｂのファン風量が小さくなるように制御し、風量によって能力の抑制（セーブ）を行う。
【０１４２】
以上のような制御をすることにより、用途の異なる複数の第１利用ユニット４ａおよび第２利用ユニット１０ａ、１０ｂを単一の熱源ユニット２に接続し運転するヒートポンプシステムにおいて、第１利用ユニット４ａおよび第２利用ユニット１０ａ、１０ｂに冷媒を最適に供給することができる。
【０１４３】
＜第２実施形態の特徴＞
（１）
第２実施形態のヒートポンプシステム２０１は、上述のように、熱源側圧縮機２１と、冷媒の蒸発器として機能する熱源側熱交換器２４とを有する熱源ユニット２と、熱源ユニット２に接続されており、冷媒の放熱器として機能する利用側熱交換器４１ａ、１０１ａ、１０１ｂを有する複数の利用ユニット４ａ、１０ａ、１０ｂとを備えている。
【０１４４】
しかも、ヒートポンプシステム２０１は、熱源側圧縮機２１の吐出圧又はそれに等価な状態量が第１目標値Ａとなるように、熱源側圧縮機２１の運転容量を制御する。そして、第１目標値Ａは、第１利用ユニット４a、４ｂにおいて要求される利用温度に等価な第１等価目標値Ｂ、および各々の第２利用ユニット１０ａ、１０ｂにおいて要求される室内温度Ｔｒに等価な第２等価目標値Ｃに基づいて決定される。
【０１４５】
以上のような制御をすることにより、用途の異なる複数の第１利用ユニット４ａおよび第２利用ユニット１０ａ、１０ｂを単一の熱源ユニット２に接続し運転するヒートポンプシステムにおいて、各利用ユニットに冷媒を最適に供給することができる。
【０１４６】
（２）
また、実施形態のヒートポンプシステム２０１では、複数の利用ユニット４ａ、４ｂ、１０ａは、利用側熱交換器４１ａにおける冷媒の放熱によって水系媒体を加熱することが可能な第１利用ユニット４ａと、利用側熱交換器１０１ａ、１０１ｂにおける冷媒の放熱によって空気系媒体を加熱することが可能な複数の第２利用ユニット１０ａ、１０ｂとを含んでいる。そして、等価目標値は、第１利用ユニット４ａにおいて要求される利用温度に等価な水系媒体の温度に関連する第１等価目標値Ｂと、複数の第２利用ユニット１０ａ、１０ｂにおいて要求される利用温度に等価な空気系媒体の温度に関連する第２等価目標値Ｃとを含んでいる。さらに、第１目標値Ａは、各利用ユニットの第１等価目標値Ｂおよび第２等価目標値Ｃの中で最も大きい値に基づいて決定される。
【０１４７】
これにより、すべての利用ユニット、すなわち、第１利用ユニット４ａ、および第２利用ユニット１０ａ、１０ｂに最適な冷媒制御を行うことが可能である。
【０１４８】
（３）
この様な用途の異なる複数の利用ユニット４ａ、１０ａ、１０ｂを単一熱源に接続し運転する第２実施携帯のヒートポンプシステム２０１においては、どの様に各利用ユニット４ａ、１０ａ、１０ｂに冷媒を供給するのかが技術的課題である。本発明はこれを解決する手段である。要求温度よりも高い温度にしなければ能力が不足する問題がある。一方、要求温度よりも高すぎる場合、能力が過多となり機器の発停を招く。これを解決する為に各第２利用ユニット１０ａ、１０ｂの要求される室内温度の中でもっとも高いものを目標とする圧力とし、能力過多になるものについては冷媒流量弁１０２ａ、１０２ｂで能力を抑制する。
【０１４９】
（４）
ただし、空調ユニットである第２利用ユニット１０ａ、１０ｂにおいては利用側熱交換器１０１ａ、１０ｂが大きい為、この場合熱交換器に冷媒が溜まりこむ問題がある。
そこで、第２実施形態のヒートポンプシステム２０１では、上記図４のステップＳ２７のように、第１目標値Ａが第２等価目標値Ｃよりも大きくなる場合には、第２利用ユニット１０ａ、１０ｂのファン風量が小さくなるように制御する。風量によって能力のセーブを行うことが可能であり、第２利用ユニット１０ａ、１０ｂにおける冷媒溜まりを効果的に防止できる。
【０１５０】
＜第２実施形態の変形例＞
（Ａ）
第１実施形態の場合と同様に、第２実施形態のヒートポンプシステム２０１においても、熱源側冷媒回路２０と水媒体回路８０ａとの間に別の冷媒回路を介在させてカスケード式のヒートポンプシステムを構成してもよい。この場合も、上記実施形態の運転制御を行うことにより、以上のような制御をすることにより、用途の異なる複数の第１利用ユニット４ａ、第２利用ユニット１０ａ、１０ｂを単一の熱源ユニット２に接続し運転するヒートポンプシステム１において、第１利用ユニット４ａおよび第２利用ユニット１０ａ、１０ｂに冷媒を最適に供給することができる。
【産業上の利用可能性】
【０１５１】
本発明は、複数の利用ユニットを単一の熱源ユニット２に接続し運転するヒートポンプシステムに種々適用することが可能である。
【符号の説明】
【０１５２】
１、２０１  ヒートポンプシステム
２  熱源ユニット
４ａ、４ｂ  第１利用ユニット
１０ａ、１０ｂ  第２利用ユニット
１２  吐出冷媒連絡管
１３  液冷媒連絡管
１４  ガス冷媒連絡管
２０  熱源側冷媒回路
２１  熱源側圧縮機
２３  熱源側切換機構
２４  熱源側熱交換器
４１ａ、４１ｂ  第１利用側熱交換器
４２ａ、４２ｂ  第１利用側流量調節弁
４３ａ、４３ｂ  循環ポンプ
８０ａ、８０ｂ  水媒体回路
１０１ａ、１０１ｂ  第２利用側熱交換器
１０２ａ、１０２ｂ  第２利用側流量調節弁
【先行技術文献】
【特許文献】
【０１５３】
【特許文献１】特開平２０００−４６４１７号公報
【図１】
2010196947.tif 000003
【図２】
2010196947.tif 000004
【図３】
2010196947.tif 000005
【図４】
2010196947.tif 000006